(57)【特許請求の範囲】
【請求項１】
発光体からの光を外方に放射させる発光部を備えた道路用発光標示体であって、
上下を軸方向として回転可能に形成された回転部と、
該回転部の上部と下部とをそれぞれ回転可能に軸支する上方支持体と下方支持体とを備え、
前記回転部に設けられた発光部より放射させる光の水平方向における向きを調整して放射可能となされており、
前記発光部が設けられた回転部が少なくとも３個並設され、
複数の前記回転部の各発光部からの光の向きをそれぞれ揃えて一方向へ放射させるように前記各回転部が回転調整可能となされていると共に、
前記各回転部は水平断面における配置が三角形の３つの頂点を形成するように設けられて、前記３個の各回転部の各発光部からの光の向きをそれぞれ異なる方向へ向け、交差点や三叉路において各道路の方向へ向けて発光標示を行うことが可能であることを特徴とする道路用発光標示体。
【請求項２】
前記各回転部を軸支する前記上方支持体と下方支持体との位置ずれを防止する連結部材が、前記各回転部の間に配置されて、前記上方支持体と下方支持体との間に架設されていることを特徴とする請求項１に記載の道路用発光標示体。
【請求項３】
前記回転部の内部には第一の中空部が軸方向に沿って形成され、
前記上方支持体と下方支持体の少なくともいずれか一方に前記第一の中空部に通じる第二の中空部が形成されており、
前記発光部へ電力を供給する電線が前記第一の中空部及び第二の中空部を通じて配線されていることを特徴とする請求項１又は２に記載の道路用発光標示体。
【発明の詳細な説明】
【技術分野】
【０００１】
本発明は、道路周辺に設置される道路用発光標示体に関するものである。
【背景技術】
【０００２】
道路を通行するドライバーに対して、発光体の発する光によって視線誘導や注意喚起を行うための発光道路標示体については、多くの発明が開示されている。
【０００３】
例えば特許文献１には、走行する車両へ向けて発光可能な誘導表示部と、前記誘導表示部と同一面に設けられて発光可能な警告表示部と、を備えてなることを特徴とする発光式誘導警告装置、の発明が開示されている。
【先行技術文献】
【特許文献】
【０００４】
【特許文献１】特開２０００−２６５４２５号公報
【発明の概要】
【発明が解決しようとする課題】
【０００５】
特許文献１に記載の発光式誘導警告装置は、ケース本体の後面に設けた取付部に、取付金具を介して副支柱を固定させ、立設された支柱と副支柱との間に支持アームを設ける構成が段落００２５や図２等に記載されており、支柱、支持アーム、副支柱、取付金具のそれぞれの間の結合部分で回転をさせて角度を調整し、発光式誘導警告装置の正面がそれぞれ道路方向に向くよう調整して設置することができるようになされている。
しかしこのような角度調整機構を用いた場合には、角度調整を行う際に、発光式誘導警告装置を固定している取付金具等の固定を解除しなければならないので、角度調整作業を安定して行うことが難しく、また作業中に発光式誘導警告装置を落下させるなどの危険性に注意する必要がある等の問題点があった。
【０００６】
そこで本発明は、発光体から放射させる光の向きの調整を容易に安定して行うことができる道路用発光標示体を提供するものである。
【課題を解決するための手段】
【０００７】
発光体からの光を外方に放射させる発光部を備えた道路用発光標示体であって、
上下を軸方向として回転可能に形成された回転部と、
該回転部の上部と下部とをそれぞれ回転可能に軸支する上方支持体と下方支持体とを備え、
前記回転部に設けられた発光部より放射させる光の水平方向における向きを調整して放射可能となされており、
前記発光部が設けられた回転部が少なくとも３個並設され、
複数の前記回転部の各発光部からの光の向きをそれぞれ揃えて一方向へ放射させるように前記各回転部が回転調整可能となされていると共に、
該各回転部は水平断面における配置が三角形の３つの頂点を形成するように設けられて、前記３個の各回転部の各発光部からの光の向きをそれぞれ異なる方向へ向け、交差点や三叉路において各道路の方向へ向けて発光標示を行うことが可能であることを特徴としている。
【０００８】
本発明に係る道路用発光標示体によれば、上下を軸方向として回転可能な軸体に形成された回転部を備え、発光体からの光を外方に放射させる発光部を前記回転部に固定させるので、放射させる光の水平方向における向きを調整して、発光標示させる道路等の方向へ光を放射させることが出来る。
また、発光部を固定させた前記回転部を回転可能な軸体に形成させ、この回転部の上部と下部とをそれぞれ軸支する上方支持体と下方支持体とを備えるので、回転部が上下の二点で軸支されてその回転が安定し、作業が容易になる。また回転部を回転させるときに回転部が落下する等の危険性もない。。
【０００９】
また、前記発光部を設けた回転部を少なくとも２個並設させるので、各回転部に固定された発光部からの光をそれぞれ異なる方向へ放射させることができるので、様々な設置場所の状況や表示目的に応じた発光標示を行うことができる。
また、前記の各回転部を軸支する前記上方支持体と下方支持体との位置ずれを防止する連結部材を、前記各回転部の間に配置させて、前記上方支持体と下方支持体との間に架設させれば、上方支持体と下方支持体との相対位置が安定的に維持されるので、これらに軸支される回転部の回転が安定し、作業が容易になる。
また、前記連結部材を、前記各回転部の間に配置させて、前記上方支持体と下方支持体との間に架設させれば、一方の回転部に固定させた発光部からの光が前記連結部材に遮られる方向に対して、他方の回転部に固定させた発光部からの光を放射させることができるので、より広範囲をカバーして発光標示を行うことができる。
【００１０】
また、前記回転部の内部に第一の中空部を軸方向に沿って形成させ、
前記上方支持体と下方支持体の少なくともいずれか一方に前記第一の中空部に通じる第二の中空部を形成させ、
前記発光部へ電力を供給する電線を前記第一の中空部及び第二の中空部を通じて配線させれば、前記回転部を回転させるときに電線が障害とならないので、回転部の回転を安定して行うことができ、作業が容易になる。
【発明の効果】
【００１１】
本発明に係る道路用発光標示体によれば、発光体から放射させる光の向きの調整を容易に安定して行うことができる。
【図面の簡単な説明】
【００１２】
【図１】本発明に係る道路用発光標示体の実施の一形態を示す、（イ）は平面図であり、（ロ）は正面図であり、（ハ）は側面図であり、（ニ）は背面図である。
【図２】図１の断面図であり、（イ）はＡ−Ａ断面図であり、（ロ）はＢ−Ｂ断面図である。
【図３】図１の発光部付近を拡大した断面図である。
【図４】図１の道路用発光標示体の発光部を示す図であり、（イ）は平面図であり、（ロ）は正面図であり、（ハ）は側面図である。
【図５】上方支持体付近の断面を示す図１のＣ−Ｃ断面図である。
【図６】各発光部から放射させる光の向きを調整させた状況を示す図１のＡ−Ａ断面図である。
【図７】本発明に係る道路用発光標示体の実施の他の一形態を示す断面図である。
【発明を実施するための形態】
【００１３】
本発明の実施の形態を図面に基づき具体的に説明する。
図面において、１は道路用発光標示体である。
本実施形態の道路用発光標示体１は、箱状体に形成された上方支持体６ａを上部に、同様に箱状体に形成された下方支持体６ｂを下部にそれぞれ備え、これらに架け渡された３本の回転部Ｒがその上端と下端とをそれぞれ支持されている。
３本の回転部Ｒにはそれぞれ発光部が取り付けられて、道路用発光標示体１の前方にあたる位置に１本、その後方の位置に２本並設させて配置されており、水平断面における配置が二等辺三角形の３つの頂点を形成するように設けられている。
また、前記の各回転部Ｒの内、後方に配置された２本の回転部Ｒの間の位置に、連結部材８が配置されて上方支持体６ａと下方支持体６ｂとの間に架設されて固定されている。
道路用発光標示体１は、図５に示されるように別体に形成された太陽電池（図示せず）で生起させた電力を上方支持体６ａの内部に内装された蓄電部６２に供給して蓄える。蓄電部６２に蓄えられた電力は、同じく上方支持体６ａに内装された制御部６３を通じて、回転部Ｒに取り付けられた発光部４の発光体４１に供給されこれを発光させる。各回転部Ｒにそれぞれ取り付けられた発光部４の発光体４１は制御部６３によって点灯、消灯を制御され、各発光体４１を個別に、または同時に点灯、点滅させることで、様々な発光パターンで発光可能としている。道路用発光標示体１は別に形成された固定用ポール（図示せず）に前記上方支持体６ａや下方支持体６ｂが取り付けられて、歩行者や車両の運転手などの主な標示対象者の目線の高さに各発光部４からの光が放射されるように固定されて、道路脇や交差点などに設置される。
【００１４】
回転部Ｒは、支柱２の前面に発光部４が取り付けられたものである。支柱２は、アルミニウム合金を押出成形によって成形されており、図３に詳細に示されるように、内部に第一の中空部２４を備えた円筒状の側壁２２の前方に長手方向に切り欠くように形成された開口部２１を備えた略Ｃ字状の断面形状に形成している。
側壁２２の内側には開口部２１の各々の側端に沿うように凹溝２３が左右に形成されており、この両凹溝２３はそれぞれに開口方向を向けて対向するように設けられている。
【００１５】
４は前記支柱２の前面に取り付けられた発光部である。本実施形態では、発光部４は、後面が開口した箱体の透光性の保護カバー部４２を前面に有し、保護カバー部４２の開口部分にはこれを塞ぐように背面板４７が取り付けられ、発光部４が箱形のユニット体に形成されている。
保護カバー部４２の両側の側面には、保護カバー部４２の上面から下面に亘るように突条部４８が形成されており、この突条部４８は保護カバー部４２の両側の側面において互いが反対方向を向くように形成されている。
また、保護カバー部４２の上面および下面は発光部４や後述の反射体５を段積みできるようにそれぞれ平面に形成されている。
保護カバー部４２の材質としては、透明なポリカーボネート樹脂を用いることができ、これに限らず透光性を有するものであれば何でも良く、アクリル樹脂やガラスなどを用いてもよい。本実施形態ではポリカーボネート樹脂を用いている。
【００１６】
保護カバー部４２と背面板４７とに囲われた発光部４の内部には、発光体４１が内装されている。本実施形態では発光体４１にＬＥＤを用いており、発光体４１は発光させる光の向きを同じ方向に向けて配線基板４９上に横方向に３個一列に取り付けられ、これを上下方向に二列配置して合計６個ずつ取り付けられている。配線基板４９は、発光体４１から発する光が保護カバー部４２の前面に向けられるように、発光部４に内装されている。このとき、発光体４１の列の向きが、発光部４の上下方向に沿うように配置されており、発光部４の側壁に形成された突条部４８と同一方向としている。
【００１７】
前記の発光部４の保護カバー部４２の前面は図３及び図４に示されるように、左右方向には平面に形成されると共に、上下方向には凸状に曲成されたレンズ部４３が設けられている。レンズ部４３は発光体４１から発せられる光を透過して発光部４の外部に出射する際に、光が上下方向に拡散するのを防いでいる。
【００１８】
突条部４８の大きさと間隔は、支柱２に形成された凹溝２３の大きさと対向する各凹溝２３同士の間隔にそれぞれ対応するように形成されており、発光部４はその前面を支柱２の開口部２１から前方に向けて突出させ、前記凹溝２３に突条部４８を挿入し、支柱２に固定されている。発光部４は、突条部４８を凹溝２３に挿入して固定されるので、発光部４は両側の側面で強固に固定され、方向などのずれを容易に起こさない。本実施形態では、支柱に設けた開口部２１と凹溝２３の長さを発光部４を複数段積みして設置できる大きさに形成しているので、凹溝２３に突条部４８を挿入するだけで各発光部４を容易に段積み可能としている。また、発光部４の発光体４１は突条部４８の方向に合わせて列状に配置しているので、複数の発光部４を同一の凹溝２３に段積みしたとき、各発光部４の発光体４１が自動的に同じ方向に沿った列として配置される。
【００１９】
本実施形態では、突条部４８に対応した凹溝２３に係合させて発光部４を段積み可能とできるので、突条部４８に対応した凹溝２３の長さを変更することで段積みする発光部４の個数を容易に変更できる。例えば支柱２の長さを変更して、それに応じた個数の発光部４を取り付けることが可能である。
【００２０】
５は反射体である。
発光部４は１本の支柱２にそれぞれ６個ずつ取り付けられており、支柱２の上方と下方にそれぞれ３個づつ取り付けられ、これらの間に反射体５が取り付けられている。
反射体５は図２（ロ）に示されるように、前面が左右方向にアールを描いて前方に突出するかまぼこ形状の箱体に形成され、前面が光の再帰反射性を有するように構成されている。反射体５の左右の側面には、発光部４の突条部４８と同じ大きさと間隔の突条部５２がその上面から下面に至るように上下方向にそれぞれ形成されており、発光部４と同様に前記の突条部５２を支柱２の凹溝２３に挿入させて、支柱２に固定される。
反射体５を発光部４と上下方向に並設させて設けることで、発光部４の発する光と、反射体５によって再帰反射されるヘッドライト等の光とが、それぞれ光の強さや色調を異ならせて視認されるので、視認される光が複雑でより誘目性を高めたものとなされ、道路用発光標示体１の視認性を高める。
【００２１】
９は補助発光部である。
補助発光部９は上方支持体６ａと下方支持体６ｂとに、それぞれ２個づつ合計４個設けられており、全て道路用発光標示体１の背面側に向けて光を放射するように取り付けられている。補助発光部９の発光により、接近してくる車両に対して、この道路用発光標示体１の存在を認識させ、接触などを防止させる。本実施形態の補助発光部９は図１に示すように道路用発光標示体１の後面に設けているが、側面などに設けても良い。
【００２２】
８は連結部材である。
連結部材８はアルミニウム合金を押出成形によって成形されており、内部に連結中空部８２を備えた矩形断面の筒状に形成されている。
前記連結中空部８２は、連結部材８の長手方向に沿って、その両端が開口されて形成されている。
また、連結部材８は、その内側面に、ビスホール部８１が２箇所押出成型によって形成されている。
連結部材８は、その長手方向の両端をそれぞれ上方支持体６ａの下面と、下方支持体６ｂの上面に当接させ、これらの内部からそれぞれ固定ねじを前記ビスホール部８１に螺入させて、上方支持体６ａと下方支持体６ｂとの間に連結部材８を架設させて固定させている。
上記のように連結部材８を上方支持体６ａと下方支持体６ｂとの間に架設させて設けることで、上方支持体６ａと下方支持体６ｂとの相互の間隔や向きが維持されて、相対的な位置ずれが抑制される。
【００２３】
図５は上方支持体６ａ付近の断面を示す図１のＣ−Ｃ断面図である。
上方支持体６ａ及び下方支持体６ｂは、上面に天板６６、下面に底板６８、側面に側板６７を備え、内部に第二の中空部６４を備えた箱状体にそれぞれ形成されている。
また上方支持体６ａの第二の中空部６４内には、回転部Ｒに固定された発光部４の発光体４１を発光させるための蓄電部６２、制御部６３が内装されている。
【００２４】
回転部Ｒは長手方向を上下に向けてその端部を上方支持体６ａ、下方支持体６ｂに支持されているが、回転部Ｒの上端および下端には、回転キャップ３がそれぞれ取り付けられ、この回転キャップ３を介して回転部Ｒは回転可能に支持されている。
回転キャップ３は、円盤形状に形成された板部３１と、この一方の面から突出する円筒形状の回転軸部３３とを備えた形状となっている。
板部３１は回転部Ｒの側壁２２の外周面と同じ径の大きさの円盤形状に形成されており、回転部Ｒの端面を板部３１に当接させたときに、板部３１の外周側面と、回転部Ｒの外周面とが面一となるように形成されている。
回転キャップ３は、回転部Ｒの端面を板部３１に当接させた後、板部３１を挿通させたネジを回転部Ｒのビスホール部２６に螺結させて、回転部Ｒに固定される。
【００２５】
前記の回転軸部３３は、板部３１よりも小径の円筒形状に形成されている。
上方支持体６ａの底板６８及び下方支持体６ｂの天板６６には、回転軸部３３の外周面より若干大径に形成された円形の軸穴６１が貫通してそれぞれ３箇所づつ設けられている。
回転部Ｒの上端と下端にそれぞれ固定された回転キャップ３は、前記の軸穴６１に回転軸部３３が挿入され、板部３１が上方支持体６ａの下面と下方支持体６ｂの上面とにそれぞれ当接されて抜脱が防止され、回転部Ｒが上方支持体６ａと下方支持体６ｂとの間に支持される。
回転部Ｒは、円筒形状の回転軸部３３を、円形の軸穴６１内で回転させて、上方支持体６ａと下方支持体６ｂとの間でその向きを回転調整可能に構成されている。
また、回転キャップ３を回転部Ｒの両端に取り付けて、回転部Ｒをその軸方向両端でそれぞれ軸支させるので、回転部Ｒの回転を安定させることができる。図５においては、図面の簡略化のために、並設された３本の回転部Ｒの内、道路用発光標示体１の後方側に配置
された回転部Ｒの図示を省略している。
【００２６】
回転キャップ３の板部３１には、回転軸部３３を設けた面から他方の面に至る貫通穴３４が設けられている。上方支持体６ａに内装された蓄電部６２から回転部Ｒに取り付けられた発光部４の発光体４１へ電力を供給する電線は、上方支持体６ａの第二の中空部６４から、貫通穴３４を通り、回転部Ｒの第一の中空部２４を通じて発光部４に配線されている。
上記のように、回転部Ｒの軸方向に沿って形成させた第一の中空部２４を、回転部Ｒの軸方向端部に取り付けた回転キャップ３を貫通する貫通穴３４を通して、回転部Ｒを軸支する上方支持体６ａの内部に設けられた第二の中空部６４に通じるように形成させることで、これらの内部に配線された前記の電線の保護が図れ、断線などの危険性を低下させることができる。また、上記のように配線させることで、回転部Ｒの回転の際に前記の電線が他部材に引っ掛かることがないので、回転部Ｒの回転がスムーズになり、これを回転させて発光部４の向きを調整する等の行う作業が容易となる。
【００２７】
また、回転キャップ３を介して回転可能に支持された回転部Ｒは、開口部２１の後方の側壁２２が半円形に形成されており、回転部Ｒの回転を行う際に、側壁２２の外側面が他の回転部Ｒ等の部材に当接することがなく、回転の際の障害とならずに回転部Ｒを安定して回転できるように形成させている。
【００２８】
本実施形態の道路用発光標示体１には、上記のように、上方支持体６ａと下方支持体６ｂとに軸支されて、道路用発光標示体１の前方にあたる位置に回転部Ｒｃが取り付けられ、その後方右側に回転部Ｒｂ、後方左側に回転部Ｒａがそれぞれ並設され、合計３本の回転部Ｒが支持固定されている。
前記各回転部Ｒａ、Ｒｂ、Ｒｃには、各発光部４ａ、４ｂ、４ｃがそれぞれ固定され、前記各回転部Ｒａ、Ｒｂ、Ｒｃの回転によって、それぞれが放射する光の水平方向における向きを調整可能に構成されている。
各回転部Ｒａ〜Ｒｃに取り付けられた各発光部４ａ〜４ｃは、水平方向において、保護カバー部４２の向けられた方向へのみ光を放射させ、前記の方向以外へは光を放射しないように構成されている。
【００２９】
また前記に記載したように、３本の回転部Ｒの内、後方に配置された回転部Ｒａと回転部Ｒｂとの間には連結部材８が配置されて固定されており、上方支持体６ａと下方支持体６ｂとの相対的な位置ずれを防止させている。
連結部材８は、図２に示すように並設された３本の回転部Ｒａ〜Ｒｃの略中央の位置に並設させるように固定させている。このように複数設けた各回転部Ｒａ〜Ｒｃの間に連結部材８を配置して固定させることで、各回転部Ｒａ〜Ｒｃのそれぞれ取付位置における上方支持体６ａと下方支持体６ｂとの相対的な位置ずれが小さくなされ、各回転部Ｒａ〜Ｒｃの回転を安定させる。またこのような理由から、連結部材８は、上方支持体６ａと下方支持体６ｂとの間に架設された回転部Ｒの、より近傍に配置させて設けることで、回転部Ｒの回転をより安定させることができる。
【００３０】
また、前記連結部材８を固定させた前記上方支持体６ａの底板６８、及び下方支持体の天板６６には、内部の各第二の中空部６４から連結部材８の連結中空部８２に通じる通孔６５がそれぞれ形成されている。このように各通孔６５を設けることで、上方支持体６ａの第二の中空部６４が連結部材８の連結中空部８２を介して下方支持体６ｂの第二の中空部６４に通じる。
本実施形態の道路用発光標示体１では、上方支持体６ａに内装させた蓄電部６２から下方支持体６ｂの後面に設けた補助発光部９に電力を供給する電線を連結部材８の連結中空部８２の中を通して配線させている。また、上方支持体６ａに内装させた蓄電部６２から各回転部Ｒａ〜Ｒｃに固定させた発光部４ａ〜４ｃに電力を供給する電線を、連結部材８の連結中空部８２の中を通して、下方支持体６ｂの第二の中空部６４を通じ、下方支持体６ｂに支持された回転キャップ３の貫通穴３４を通して、配線させるなど、多様な経路を用いて配線できるように構成させている。上記のように回転部Ｒに固定させた発光体４に電力を供給する電線と、下方支持体６ｂに固定させた補助発光部９を発光させる電線とを、共に連結部材８の内部に配線させることができるが、発光体４への配線を回転部Ｒに配線させ、補助発光部９への配線を連結部材８に配線させて、両者を分けることで、経年劣化時の部品交換や故障の修理などのメンテナンスの際に効率よく作業を行え、好ましい。また、連結部材８の内部に電線を配線させることで、回転部Ｒ内を配線させる電線の数を減少させ、回転部Ｒの回転をより安定させる。
【００３１】
図２と図６は各発光部から放射させる光の向きを調整させた状況を示す図１のＡ−Ａ断面図である。
上方支持体６ａと下方支持体６ｂとに回転可能に固定された各回転部Ｒａ、Ｒｂ、Ｒｃは、本実施形態において、それぞれ左右の周方向へ９０゜ずつ、合計１８０゜の回転が可能に固定されている。
上記のように各回転部Ｒａ、Ｒｂ、Ｒｃを構成することで、これらを回転調整させて、図２（イ）に示すように各発光部４ａ、４ｂ、４ｃの光をそれぞれ９０゜間隔で異なる方向へむけて放射させることができ、交差点や三叉路において、各道路の方向へ向けて発光標示させることが可能である。
また、図６（イ）に示すように、各発光部４ａ、４ｂ、４ｃの光をそれぞれ４５゜間隔で前方へむけて放射させることができ、前方へ発光を集中させて強調させた発光標示を行うことも可能である。
また、図６（ロ）に示すように、発光部４ａ、４ｂをそれぞれ後方へ向け、発光部４ｃをこれと反対の前方に向けて、後方への発光標示をより強調させて１８０゜逆の方向へそれぞれ発光標示を行うこともできる。
【００３２】
本実施形態の道路用発光標示体１は、３本の回転部Ｒａ〜Ｒｃを備え、これにそれぞれ発光部４ａ〜４ｃを取り付けられているが、これに限るものではなく、２本の回転部Ｒａ、Ｒｂのみを備えてこれにそれぞれ発光部４ａ、４ｂを設けても良いし、４本以上の回転部Ｒにそれぞれ発光部４を設けても良い。
図７は本発明に係る道路用発光標示体の実施の他の一形態を示す断面図である。
本実施形態の道路用発光標示体は、図１の実施形態より回転部Ｒｃと発光部４ｃを省き、２本の回転部Ｒａ、Ｒｂを並設させて、発光部４ａを回転部Ｒａに、発光部４ｂを回転部Ｒｂにそれぞれ設けている。
【００３３】
図６、７に示すように、上方支持体６ａと下方支持体６ｂとに架設させた連結部材８が、複数並設させた各回転部Ｒの間に配置されるように設けることで、一方の回転部Ｒの備える発光部４から放射される光が連結部材８に遮られる方向に対して、他方の回転部Ｒの発光部４からの光を放射させることができ、道路用発光標示体１の行う発光標示をより広範囲から視認できるものとすることができる。
【符号の説明】
【００３４】
１    道路用発光標示体
２    支柱
２１  開口部
２２  側壁
２３  凹溝
２４  第一の中空部
２６  ビスホール部
３    回転キャップ
３１  板部
３３  回転軸部
３４  貫通穴
４    発光部
４ａ  第一の発光部
４ｂ  第二の発光部
４ｃ  第三の発光部
４１  発光体
４２  保護カバー部
４３  レンズ部
４４  非集光部
４７  背面板
４８  突条部
４９  配線基板
５    反射体
５２  突条部
６ａ  上方支柱支持体
６ｂ  下方支柱支持体
６１  軸穴
６２  蓄電部
６３  制御部
６５  通孔
８    連結部材
８１  ビスホール部
８２  連結中空部
９    補助発光部
Ｒ    回転部
【図１】
0005567827.tif 000002
【図２】
0005567827.tif 000003
【図３】
0005567827.tif 000004
【図４】
0005567827.tif 000005
【図５】
0005567827.tif 000006
【図６】
0005567827.tif 000007
【図７】
0005567827.tif 000008